(57)【要約】【課題】筐体の側面に配設されるスロットやコネクタ類の実装スペースの制限緩和を図ることができる一方、塵や埃或いは水等が筐体の内部に侵入することを防止し得、更に製造時の工数増加並びに外観性低下を回避し得る電子機器及びその製造方法を提供する。【解決手段】溝３０，３２を形成するために該溝３０，３２の内壁３６，３７に穿設される成形金型による押切孔３０ｆ，３２ｆを塞ぐようキー側筐体１ａの内側から装着されるカバー部材３４を備える。【選択図】図２
2006222350.tif 000002
【特許請求の範囲】
【請求項１】
筐体表面に形成される開口部から筐体内部側で終端する溝を備え、該溝は筐体内部で曲部を備える電子機器において、
前記溝は、前記筐体表面部と筐体の内側から装着されるカバー部材とにより形成されることを特徴とする電子機器。
【請求項２】
前記筐体は、前記筐体表面部により形成される前記溝の開口縁部を備え、該開口縁部を、筐体に対する被係合体の前記溝に挿入される係止片を受ける係合受部として用いることを特徴とする請求項１記載の電子機器。
【請求項３】
前記筐体は、前記筐体表面部により形成される前記溝の開口縁部を備え、該開口縁部に、筐体に対する被係合体の前記溝に挿入される係止片を受ける係合受部を備えることを特徴とする請求項１記載の電子機器。
【請求項４】
前記筐体に内蔵される電子部品の位置決め手段として前記カバー部材を用いることを特徴とする請求項１〜３のいずれか一つに記載の電子機器。
【請求項５】
筐体表面に形成される開口部から筐体内部側で終端する溝を備え、該溝は筐体内部で曲部を備える電子機器の製造方法において、
前記溝内に成型金型により押切孔を形成し、
前記押切孔を塞ぐよう筐体の内側からカバー部材を装着することにより前記溝を形成することを特徴とする電子機器の製造方法。
【発明の詳細な説明】
【技術分野】
【０００１】
本発明は、電子機器及びその製造方法に関するものである。
【背景技術】
【０００２】
一般に、携帯電話やＰＨＳ等の移動通信機、ＰＤＡ（Personal Digital Assistant）或いは有線方式の電話機に付属するコードレス子機のような電子機器には、送受信等に必要な電力を得るための電池が内蔵されており、充電台によって定期的に充電を行う必要がある。
【０００３】
斯かる電子機器としての携帯電話の充電台としては、従来より、例えば図３及び図４に示されるようなものが存在している。図示される充電台Ａは、上面に電子機器としての携帯電話１を装着できる収容空間２が形成された卓上ホルダ３と、該卓上ホルダ３内に配設された基板４と、前記卓上ホルダ３の収容空間２内へ突出し携帯電話１の充電用端子５が当接可能となるよう前記基板４に半田等で取り付けられた給電用端子６と、給電用の接続プラグ７が接続されるよう前記基板４に半田等で取り付けられたコネクタ８と、前記卓上ホルダ３の前記給電用端子６とは反対側に備えて収容空間２内へ突出し且つ携帯電話１の溝９に係合する爪部１０とを備えてなる構成を有している。
【０００４】
前記卓上ホルダ３は、上ケース３ａと下ケース３ｂとを一体に組み付けてなり、又、前記爪部１０は、上ケース３ａ内にピン１１を中心として回動自在となるよう枢支されたロックアーム１２の先端に一体に形成されており、該ロックアーム１２は、スプリング１３の付勢力により、図４中、前記ピン１１を中心に反時計方向へ回動する方向に付勢され、これにより、上ケース３ａの小孔１４から爪部１０が所要量だけ突出するようになっている。
【０００５】
一方、前記接続プラグ７は、給電用コンセント（図示せず）に接続されるＡＣ金属端子１５を有し且つ交流電流を所定電圧値の直流電流に変換するＡＣアダプタ１６に対し、アダプタコード１７を介して接続されており、前記卓上ホルダ３の上ケース３ａに穿設された挿入孔１８から前記コネクタ８に対し、着脱自在に接続されるようになっている。
【０００６】
又、前記卓上ホルダ３の下ケース３ｂの底面における四隅部には、ゴム等の弾性部材からなる足片１９を、両面テープ又は接着剤等で貼り付けてあり、机やテーブル等への卓上ホルダ３の設置時にそれ自体の安定化を図ると共に、机やテーブル等の表面に傷がついたりすることを防止するようになっている。
【０００７】
尚、図３及び図４中、２０は卓上ホルダ３の上ケース３ａにおける収容空間２内面側に突設されたリブであり、収容空間２に携帯電話１を装着した際、該携帯電話１の溝２１にリブ２０が係合するようになっている。
【０００８】
前記携帯電話１の充電を行う際には、アダプタコード１７の接続プラグ７を卓上ホルダ３の上ケース３ａに穿設された挿入孔１８からコネクタ８に接続し且つＡＣアダプタ１６のＡＣ金属端子１５を給電用コンセントに接続した状態で、卓上ホルダ３の上ケース３ａの収容空間２に携帯電話１を嵌め込むようにすると、給電用端子６に携帯電話１の充電用端子５が当接し、且つ携帯電話１の溝２１にリブ２０が係合すると共に、上ケース３ａの小孔１４から所要量だけ突出している爪部１０が、スプリング１３の付勢力に抗して小孔１４内に一旦押し込まれ、これにより、携帯電話１の収容空間２内への挿入が許容され、該携帯電話１が所定の位置まで挿入されると、爪部１０が前記スプリング１３の付勢力により上ケース３ａの小孔１４から再び所要量だけ突出し携帯電話１の溝９に係合し、携帯電話１が収容空間２から簡単には抜けないようになり、この状態で、携帯電話１に内蔵された電池への充電が行われる。
【０００９】
充電完了後には、携帯電話１を卓上ホルダ３から多少力を入れて持ち上げるようにすると、携帯電話１の溝９に係合している爪部１０が、スプリング１３の付勢力に抗して小孔１４内に一旦押し込まれ、これにより、携帯電話１の収容空間２内からの離脱が許容され、該携帯電話１が卓上ホルダ３から取り外される。
【００１０】
ところで、近年、携帯電話１のマルチメディア化に伴い、外部メモリカード用スロット、イヤホンジャック、ＵＳＢコネクタをはじめとする各種インタフェース用コネクタ等の実装が不可欠となっているが、このようなスロットやコネクタ類は、携帯電話１の側面、特に図３及び図４に示されるような折畳式の携帯電話１においてはキー側筐体１ａの側面に配置されることが多い。
【００１１】
このため、前記携帯電話１の溝９や溝２１をキー側筐体１ａの側面に配置した場合、前記スロットやコネクタ類の実装スペースが制限されるという問題が生じていた。
【００１２】
こうした問題の解決策として、前記携帯電話１のキー側筐体１ａの側面に溝９や溝２１を形成する代りに、例えば、図５に示される如く、携帯電話１のキー側筐体１ａの背面（携帯電話１を充電台Ａにセットした際に底面となる部分）に溝３０を形成し、携帯電話１のキー側筐体１ａの側面に形成される溝２１′については一つのみとすることが、本発明者等によって提案されている。
【００１３】
この場合、前記溝３０の部分は、例えば、図６に示されるような構造を有している。即ち、キー側筐体１ａの背面に開口部３０ａを形成し、該開口部３０ａの開口投影面積と略等しくなるようにキー側筐体１ａ内部側に延びる開口凹部３０ｂを凹設し、該開口凹部３０ｂの一側（図６においては左側）をえぐるように曲部としての埋没凹部３０ｃを凹設することにより、キー側筐体１ａに対する被係合体としての充電台Ａの係止片１０′が挿入される係合凹部３０ｄを形成すると共に、該係合凹部３０ｄにおける開口部３０ａの埋没凹部３０ｃ側の縁部を、係合凹部３０ｄに挿入された前記係止片１０′を受ける係合受部３０ｅとし、これにより、前記溝３０が構成されるようになっている。
【００１４】
ここで、一般に携帯電話１のキー側筐体１ａは、上下金型からなる成形金型（図示せず）によって成形されるが、前記曲部としての埋没凹部３０ｃの部分がいわゆるアンダーカットとなるため、前記溝３０を構成する係合凹部３０ｄの内側には構造上、成形金型の上下金型によって押し切られるように形成される押切孔３０ｆがあいてしまうことは避けられない。
【００１５】
一方、前記携帯電話１のキー側筐体１ａの背面には、図５に示される如く、その内部に設置される電池を覆うように電池蓋Ｂが取り付けられるが、該電池蓋Ｂの筐体に対する係合部分についての発明を示すものとしては、従来、例えば、特許文献１がある。
【００１６】
特許文献１に示されるものは、電池蓋Ｂを筐体に対して係合させるためのロック部材を筐体の外側に配置したものである。
【００１７】
しかしながら、特許文献１に示されるもののように、電池蓋Ｂを筐体に対して係合させるためのロック部材を筐体の外側に配置するのでは、外観が悪くなる一方、ロック部材が衣服等と絡まって外れたりする虞があるため、この種のロック部材は筐体の内側に配置することが好ましい。
【００１８】
このため、近年の携帯電話１においては、電池蓋Ｂの筐体（キー側筐体１ａ）に対する係合部分をキー側筐体１ａの内側に配置するものが多くなっているが、この場合、図７に示される如く、キー側筐体１ａの背面に電池３１のための開口部３２ａを形成し、該開口部３２ａにおける端部から電池蓋Ｂの係止片３３を挿入可能となるようにキー側筐体１ａ内部側に延びる開口凹部３２ｂを凹設し、該開口凹部３２ｂの一側（図７においては右側）をえぐるように曲部としての埋没凹部３２ｃを凹設することにより、キー側筐体１ａに対する被係合体としての電池蓋Ｂの係止片３３が挿入される係合凹部３２ｄを形成すると共に、該係合凹部３２ｄにおける開口部３２ａの埋没凹部３２ｃ側の縁部に、係合凹部３２ｄに挿入された前記係止片３３を受ける係合受部３２ｅを、キー側筐体１ａ内部側へ突出するよう形成し、これにより、前記電池蓋Ｂの係止片３３を挿入するための溝３２が構成されるようになっている。
【００１９】
ここで、前述したように、一般に携帯電話１のキー側筐体１ａは、上下金型からなる成形金型によって成形されることから、図６に示されるような充電台Ａの係止片１０′が挿入されるキー側筐体１ａの溝３０の部分と同様、図７に示されるような電池蓋Ｂの係止片３３が挿入されるキー側筐体１ａの溝３２の部分においても、前記曲部としての埋没凹部３２ｃの部分がいわゆるアンダーカットとなるため、前記溝３２を構成する係合凹部３２ｄの内側に、成形金型の上下金型によって押し切られるように形成される押切孔３２ｆがあいてしまうことは避けられない。
【００２０】
尚、図７に示されるような電池蓋Ｂの係止片３３が挿入されるキー側筐体１ａの溝３２の部分と類似した構造を有するものとしては、従来、例えば、特許文献２がある。
【特許文献１】特開平９−２９３９７７号公報
【特許文献２】特開２００３−１２３７１７号公報
【発明の開示】
【発明が解決しようとする課題】
【００２１】
しかしながら、図６に示されるような充電台Ａの係止片１０′が挿入されるキー側筐体１ａの溝３０を構成する係合凹部３０ｄの内側に押切孔３０ｆが穿設されたり、或いは図７に示されるような電池蓋Ｂの係止片３３が挿入されるキー側筐体１ａの溝３２を構成する係合凹部３２ｄの内側に押切孔３２ｆが穿設された場合、これらの押切孔３０ｆ，３２ｆの部分から塵や埃或いは水等がキー側筐体１ａの内部に侵入する可能性があるため、前記押切孔３０ｆ，３２ｆについては塞ぐことが望ましく、改善の余地が残されていた。
【００２２】
尚、前記キー側筐体１ａの背面側における溝３０，３２を含む箇所で分割構造とすれば、前記押切孔３０ｆ，３２ｆをなくすことも可能ではあるが、このようにした場合、製造時の工数が増加すると共に、外観性も低下するという欠点があり、あまり好ましいとは言えなかった。
【００２３】
本発明は、斯かる実情に鑑み、筐体の側面に配設されるスロットやコネクタ類の実装スペースの制限緩和を図ることができる一方、塵や埃或いは水等が筐体の内部に侵入することを防止し得、更に製造時の工数増加並びに外観性低下を回避し得る電子機器及びその製造方法を提供しようとするものである。
【課題を解決するための手段】
【００２４】
本発明は、筐体表面に形成される開口部から筐体内部側で終端する溝を備え、該溝は筐体内部で曲部を備える電子機器において、
前記溝は、前記筐体表面部と筐体の内側から装着されるカバー部材とにより形成されることを特徴とする電子機器にかかるものである。
【００２５】
前記電子機器においては、前記筐体は、前記筐体表面部により形成される前記溝の開口縁部を備え、該開口縁部を、筐体に対する被係合体の前記溝に挿入される係止片を受ける係合受部として用いることができる。
【００２６】
前記電子機器においては、前記筐体は、前記筐体表面部により形成される前記溝の開口縁部を備え、該開口縁部に、筐体に対する被係合体の前記溝に挿入される係止片を受ける係合受部を備えることもできる。
【００２７】
又、前記筐体に内蔵される電子部品の位置決め手段として前記カバー部材を用いることもできる。
【００２８】
一方、本発明は、筐体表面に形成される開口部から筐体内部側で終端する溝を備え、該溝は筐体内部で曲部を備える電子機器の製造方法において、
前記溝内に成型金型により押切孔を形成し、
前記押切孔を塞ぐよう筐体の内側からカバー部材を装着することにより前記溝を形成することを特徴とする電子機器の製造方法にかかるものである。
【発明の効果】
【００２９】
本発明の電子機器及びその製造方法によれば、筐体の側面に配設されるスロットやコネクタ類の実装スペースの制限緩和を図ることができる一方、塵や埃或いは水等が筐体の内部に侵入することを防止し得、更に製造時の工数増加並びに外観性低下を回避し得るという優れた効果を奏し得る。
【発明を実施するための最良の形態】
【００３０】
以下、本発明の実施の形態を添付図面を参照して説明する。
【００３１】
図１及び図２は本発明を実施する形態の一例であって、図中、図３〜図７と同一の符号を付した部分は同一物を表わしており、溝３０，３２を形成するために該溝３０，３２の内壁３６，３７に穿設される成形金型による押切孔３０ｆ，３２ｆを塞ぐようキー側筐体１ａの内側から装着されるカバー部材３４を備えたものである。
【００３２】
前記溝３０は、図２（ａ），（ｂ）に示す如く、キー側筐体１ａの背面に開口部３０ａを形成し、該開口部３０ａの開口投影面積と略等しくなるようにキー側筐体１ａ内部側に延びる開口凹部３０ｂを凹設し、該開口凹部３０ｂの一側（図２においては左側）をえぐるように曲部としての埋没凹部３０ｃを凹設することにより、キー側筐体１ａに対する被係合体としての充電台Ａの係止片１０′が挿入される係合凹部３０ｄを形成すると共に、該係合凹部３０ｄにおける開口部３０ａの埋没凹部３０ｃ側の縁部を、係合凹部３０ｄに挿入された前記係止片１０′を受ける係合受部３０ｅとして、構成されている。
【００３３】
又、前記溝３２は、図２（ａ），（ｂ）に示す如く、前記溝３０に対し仕切壁３５を隔てて隣接するように設けられており、キー側筐体１ａの背面に電池３１のための開口部３２ａを形成し、該開口部３２ａにおける端部から電池蓋Ｂの係止片３３を挿入可能となるようにキー側筐体１ａ内部側に延びる開口凹部３２ｂを凹設し、該開口凹部３２ｂの一側（図２においては右側）をえぐるように曲部としての埋没凹部３２ｃを凹設することにより、キー側筐体１ａに対する被係合体としての電池蓋Ｂの係止片３３が挿入される係合凹部３２ｄを形成すると共に、該係合凹部３２ｄにおける開口部３２ａの埋没凹部３２ｃ側の縁部に、係合凹部３２ｄに挿入された前記係止片３３を受ける係合受部３２ｅを、キー側筐体１ａ内部側へ突出するよう形成して、構成されている。
【００３４】
前記カバー部材３４は、図１及び図２（ａ），（ｂ）に示す如く、上面側を開放した中空直方体形状を有する本体部３４ａと、該本体部３４ａの底部における一側（図２においては右側）からキー側筐体１ａの背面と略平行に延びるよう形成され且つ前記溝３０の押切孔３０ｆを閉塞可能な閉塞板部３４ｂと、該閉塞板部３４ｂの底面における基端側から略鉛直下方へ向って延び且つ前記仕切壁３５に沿うように埋没凹部３０ｃ内へ挿入配置される脚板部３４ｃとを備えてなる構成を有しており、前記本体部３４ａの底面を、キー側筐体１ａの背面と略平行に延びるよう形成され且つ前記溝３２の押切孔３２ｆを閉塞可能な閉塞板部３４ｄとして用いるようにしてある。
【００３５】
一方、本図示例の場合、前記溝３０における係合凹部３０ｄの内壁３６と、該内壁３６に連なるカバー部材３４の閉塞板部３４ｂとを、前記キー側筐体１ａに内蔵される電子部品としてのバイブレーション用モータ３８の位置決め手段３９として用いるようにしてある。これは、プリント基板４０と前記キー側筐体１ａのキーリアケース１ｂとの間には各種電子部品（図示せず）が実装されるため、ある程度のスペースが必要となるが、電子部品の一つである前記バイブレーション用モータ３８はこのスペースの高さに比べて高さが低くなることへの対応策である。即ち、通常の場合は、前記キー側筐体１ａのキーリアケース１ｂ側からリブを立てる等の手段で底上げしてバイブレーション用モータ３８の位置決めを行い、プリント基板４０の配線とバイブレーション用モータ３８の端子との接触を図っていたものを、前記リブ等の代りに、前記溝３０における係合凹部３０ｄの内壁３６と、該内壁３６に連なるカバー部材３４の閉塞板部３４ｂとを、バイブレーション用モータ３８の位置決めに兼用する形で利用するようにしたものである。
【００３６】
尚、図２中、１ｃはキーフロントケースであり、該キーフロントケース１ｃをキーリアケース１ｂに組み付けることによりキー側筐体１ａが形成されるようになっている。
【００３７】
次に、上記図示例の作用を説明する。
【００３８】
先ず、携帯電話１のキー側筐体１ａの側面に溝９や溝２１（図３及び図４参照）を形成する代りに、キー側筐体１ａの背面（携帯電話１を充電台Ａにセットした際に底面となる部分）に溝３０を形成し、携帯電話１のキー側筐体１ａの側面に形成される溝２１′については一つのみとすることにより、キー側筐体１ａの側面に配設されるスロットやコネクタ類の実装スペースの制限を緩和することが可能となる。
【００３９】
又、充電台Ａの係止片１０′が挿入されるキー側筐体１ａの溝３０を構成する係合凹部３０ｄの内側、並びに電池蓋Ｂの係止片３３が挿入されるキー側筐体１ａの溝３２を構成する係合凹部３２ｄの内側には構造上、成形金型の上下金型によって押し切られるように形成される押切孔３０ｆ，３２ｆがあいてしまうことは避けられないが、図１及び図２（ａ）に示す状態から、カバー部材３４をキー側筐体１ａのキーリアケース１ｂ内側から、その脚板部３４ｃが仕切壁３５に沿って埋没凹部３０ｃ内へ挿入されるよう装着すると、図２（ｂ）に示す如く、カバー部材３４の本体部３４ａから張り出す閉塞板部３４ｂによって前記押切孔３０ｆが塞がれると共に、カバー部材３４の本体部３４ａ底面における閉塞板部３４ｄによって前記押切孔３２ｆが塞がれるため、これらの押切孔３０ｆ，３２ｆの部分から塵や埃或いは水等がキー側筐体１ａの内部に侵入する心配がなくなる。
【００４０】
更に又、前記押切孔３０ｆ，３２ｆをなくすために、前記キー側筐体１ａの背面側における溝３０，３２を含む箇所で分割構造とする必要もないため、製造時の工数が増加したり外観性が低下する心配も全くない。
【００４１】
一方、プリント基板４０と前記キー側筐体１ａのキーリアケース１ｂとの間には各種電子部品（図示せず）が実装されるため、ある程度のスペースが必要となるが、電子部品の一つである前記バイブレーション用モータ３８はこのスペースの高さに比べて高さが低くなる。これに対処するために、通常の場合は、前記キー側筐体１ａのキーリアケース１ｂ側からリブを立てる等の手段で底上げしてバイブレーション用モータ３８の位置決めを行い、プリント基板４０の配線とバイブレーション用モータ３８の端子との接触を図っていたのであるが、本図示例の場合、前記溝３０における係合凹部３０ｄの内壁３６と、該内壁３６に連なるカバー部材３４の閉塞板部３４ｂとを、前記キー側筐体１ａに内蔵される電子部品としてのバイブレーション用モータ３８の位置決め手段３９として用いるようにしてあるため、前記リブ等は設けなくて済み、省スペース化にも役立つこととなる。
【００４２】
又、前記カバー部材３４の本体部３４ａ底面における閉塞板部３４ｄによって前記押切孔３２ｆを塞ぐようにしたことにより、図２（ｂ）に示す如く、電池蓋Ｂの係止片３３が溝３２に嵌り込んで係合受部３２ｅと係合した状態において、該係止片３３の撓み量が、図７に示される従来の場合に比べて抑制されるため、落下等、意図しない状況での電池蓋Ｂの外れを防止することが可能となる。
【００４３】
こうして、キー側筐体１ａの側面に配設されるスロットやコネクタ類の実装スペースの制限緩和を図ることができる一方、塵や埃或いは水等が筐体の内部に侵入することを防止し得、更に製造時の工数増加並びに外観性低下を回避し得る。
【００４４】
尚、本発明の電子機器及びその製造方法は、上述の図示例にのみ限定されるものではなく、本発明の要旨を逸脱しない範囲内において種々変更を加え得ることは勿論である。
【図面の簡単な説明】
【００４５】
【図１】本発明を実施する形態の一例におけるキー側筐体を示す展開斜視図である。
【図２】本発明を実施する形態の一例におけるキー側筐体を示す側断面図であって、（ａ）は展開図、（ｂ）は組込図である。
【図３】従来における携帯電話と充電台の一例を示す斜視図である。
【図４】図３に示す従来例の側断面図である。
【図５】本発明者等によって提案されている携帯電話をそのキー側筐体背面側から斜めに見た状態を示す図である。
【図６】充電台の係止片が挿入される筐体の溝の部分を示す側断面図である。
【図７】電池蓋の係止片が挿入される筐体の溝の部分を示す側断面図である。
【符号の説明】
【００４６】
１       携帯電話（電子機器）
１ａ     キー側筐体（筐体）
１ｂ     キーリアケース
１ｃ     キーフロントケース
１０′     係止片
３０       溝
３０ａ     開口部
３０ｂ     開口凹部
３０ｃ     埋没凹部（曲部）
３０ｄ     係合凹部
３０ｅ     係合受部
３０ｆ     押切孔
３２       溝
３２ａ     開口部
３２ｂ     開口凹部
３２ｃ     埋没凹部（曲部）
３２ｄ     係合凹部
３２ｅ     係合受部
３２ｆ     押切孔
３３       係止片
３４       カバー部材
３４ａ     本体部
３４ｂ     閉塞板部
３４ｃ     脚板部
３４ｄ     閉塞板部
３６       内壁
３７       内壁
３８       バイブレーション用モータ（電子部品）
３９       位置決め手段
Ａ       充電台（被係合体）
Ｂ       電池蓋（被係合体）
【図１】
2006222350.tif 000003
【図２】
2006222350.tif 000004
【図３】
2006222350.tif 000005
【図４】
2006222350.tif 000006
【図５】
2006222350.tif 000007
【図６】
2006222350.tif 000008
【図７】
2006222350.tif 000009